【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
口座所有者と商事業者との間の商取引を承認するためのコンピュータシステムであって、該コンピュータシステムは、
データ及びコードを処理するための処理ユニット、及び、
前記データ及び前記コードを格納するメモリー装置を含み、
前記コードは商事業者通信モジュールを含み、該商事業者通信モジュールは、該商事業者と接続し取引承認要求を受信することを促進するために機能し、
前記データは該口座所有者に接続可能な活動可能データを含み、該活動可能データは該口座所有者と関連する口座の活動可能な状態を示し、
前記コードはさらに認可モジュールを含み、該認可モジュールは取引承認要求に応答し、且つ前記口座所有者に関連する口座が活動不可能にされた場合に該取引承認要求を拒否するために機能するコンピュータシステム。
【請求項２】
前記活動可能データが少なくとも一つの活動可能条件を含み、
前記取引承認要求が前記活動可能条件を満たした場合のみ、前記認可モジュールが前記取引承認要求を承認する請求項１に記載のコンピュータシステム。
【請求項３】
前記活動可能条件が活動可能日時を含み、該活動可能日時は前記口座の初期活動可能状態に相当し、
前記取引承認要求に含まれる購入日付と時間が前記活動可能日時より後である場合のみ、前記認可モジュールは前記取引承認要求を承認するために機能する請求項２に記載のコンピュータシステム。
【請求項４】
前記活動可能データはさらに少なくとも一つの活動不可能条件を含み、
前記取引承認要求が前記活動可能条件を満たし且つ前記活動不可能条件を満たさない場合のみ、前記認可モジュールは前記取引承認要求を承認するために機能する請求項２に記載のコンピュータシステム。
【請求項５】
前記活動不可能条件が活動不可能日時を含み、該活動不可能日時は口座所有者により決定され、
前記取引承認要求に含まれる購入日付と時間が前記初期活動可能日時より後であって、且つ前記活動不可能日時より前である場合のみ、前記認可モジュールは前記取引承認要求を受け入れる請求項４に記載のコンピュータシステム。
【請求項６】
前記活動可能データがさらに第二活動可能条件を含み、該第二活動可能条件は前記口座所有者により決定される再活動可能日時を規定し、
前記取引承認要求に含まれる購入日付と時間が前記初期活動可能日時より後であって、且つ前記活動不可能日時前又は再活動可能日時後である場合のみ、前記認可モジュールは前記取引承認要求を承認する請求項５に記載のコンピュータシステム。
【請求項７】
前記活動可能データがさらに少なくとも一つの自動活動可能又は自動活動不可能基準を含み、該自動活動可能又は自動活動不可能基準は前記口座所有者により決定され、
前記認可モジュールは、前記自動活動可能又は自動活動不可能基準に基づいて自動的に前記口座の活動可能な状態を変更するために機能する請求項１に記載のコンピュータシステム。
【請求項８】
所定の数の取引承認要求が、既定の時間内に受信された場合、前記活動不可能基準が前記口座を活動不可能にすることを含み、前記取引承認要求の所定の数は前記口座所有者により決定され、
前記認可モジュールは、前記活動可能データに日付と時間を記録することにより前記口座を活動不可能にするために機能し、該日付と時間は前記所定の数の取引承認要求が到達した時の日時に相当する請求項７に記載のコンピュータシステム。
【請求項９】
前記認可モジュールが相互活動可能モジュールを含み、該相互活動可能モジュールは、
前記口座所有者と接続を確立し、
前記口座所有者を認証し、及び
前記口座所有者から指示を受信して前記活動可能データを修正するために機能する請求項１に記載のコンピュータシステム。
【請求項１０】
前記相互活動可能モジュールが、前記口座所有者との電話を介しての通信を可能とする請求項９に記載のコンピュータシステム。
【請求項１１】
前記相互活動可能モジュールが、前記口座所有者から受信した前記指示を格納するためにさらに機能する請求項９に記載のコンピュータシステム。
【請求項１２】
前記相互活動可能モジュールが、前記口座所有者からの前記指示が受信された日時を格納するためにさらに機能する請求項１１に記載のコンピュータシステム。
【請求項１３】
前記コードがさらに口座所有者通信モジュールを含み、該口座所有者通信モジュールは前記口座所有者との別々の接続を促進するために機能して前記取引承認要求を検証し、
前記口座所有者に関連する前記口座が活動不可能にされない場合、且つ前記承認要求が前記口座所有者により検証された場合のみ、前記認可モジュールは承認を前記商事業者へ転送するためにさらに機能する請求項１に記載のコンピュータシステム。
【請求項１４】
前記データは、少なくとも一つの事前検証基準をさらに含み、該事前検証基準は前記口座所有者に関連し、
前記口座所有者に関連する前記口座が活動不可能にされない場合に前記認可モジュールは前記取引承認要求と前記少なくとも一つの事前検証基準とを比較し、前記少なくとも一つの事前検証基準が満たされた場合に前記認可モジュールは前記取引承認要求を検証するためにさらに機能する請求項１に記載のコンピュータシステム。
【請求項１５】
コンピュータシステムにおける、口座所有者と商事業者との間の商取引を促進させる方法であって、前記方法は、
活動不可能にするための指示を前記口座所有者から受信して前記口座所有者に関連した口座を一時的に活動不可能にする段階と、
前記商事業者から取引承認要求を受信する段階と、
前記口座所有者が一時的に前記口座を活動不可能にしたか否かを決定する段階と、
前記口座が一時的に活動不可能にされた場合に前記取引承認要求を拒否する段階を含む方法。
【請求項１６】
前記活動不可能にするための指示を格納する段階をさらに含む請求項１５に記載の方法。
【請求項１７】
前記活動不可能にするための指示を格納する段階が、前記口座所有者から活動不可能にするための指示が受信された日時を格納する段階を含む請求項１６に記載の方法。
【請求項１８】
前記口座所有者が一時的に前記口座を活動不可能にしたか否かを決定する前記段階が、
前記取引承認要求に含まれる購入日時と、前記活動不可能にするための指示が受信された前記日時とを比較する段階を含み、
前記口座が一時的に活動不可能にされた場合に前記取引承認要求を拒否する前記段階が、前記購入日時が、前記活動不可能にするための指示が受信された前記日時の後である場合に前記取引承認要求を拒否する段階を含む請求項１７に記載の方法。
【請求項１９】
前記口座所有者から再活動可能にするための指示を受信して一時的に前記口座を再活動可能にする段階をさらに含む請求項１５に記載の方法。
【請求項２０】
前記再活動可能にするための指示を格納する段階をさらに含む請求項１９に記載の方法。
【請求項２１】
前記再活動可能にするための指示を格納する前記段階が、前記再活動可能にするための指示が前記口座所有者から受信された日時をさらに格納する段階を備える請求項２０に記載の方法。
【請求項２２】
他の商事業者から他の取引承認要求を受信する段階と、
前記口座所有者が前記口座を一時的に再活動可能にしたか否かを決定する段階と、
前記口座が一時的に再活動可能にされた場合にのみ前記他の承認から前記取引承認要求
を承認する段階を含む請求項２１に記載の方法。
【請求項２３】
前記口座所有者が前記口座を一時的に再活動可能にしたか否かを決定する前記段階が、前記取引承認要求に含まれる購入日時と前記再活動可能にするための指示が受信された前記日時とを比較する段階を含み、
前記取引承認要求を承認する前記段階が、前記購入日時が、前記再活動可能にするための指示が受信された日時より後である場合に前記取引承認要求を承認する段階を含む請求項２２に記載の方法。
【請求項２４】
前記口座所有者に関連する少なくとも一つの自動活動不可能基準を格納する段階と、
前記少なくとも一つの自動活動不可能基準を満たした時に前記口座所有者に関連する前記口座を自動的に且つ一時的に活動不可能にする段階をさらに含む請求項１５に記載の方法。
【請求項２５】
前記少なくとも一つの活動不可能基準が所定の数の商取引を含み、前記口座を前記自動的に且つ一時的に活動不可能にする前記段階が、前記所定の数の商取引の受領の後に前記口座を活動不可能にする段階を含む請求項２４に記載の方法。
【請求項２６】
前記所定の数の商取引が一つの商取引である請求項２５に記載の方法。
【請求項２７】
前記口座所有者からの指示を受信する前記段階が電話を介して前記指示を受信する段階を含む請求項１５に記載の方法。
【請求項２８】
コードが埋設された電子可読メディアであって、前記コードが電子機器に請求項１５の方法を実行させるメディア。
【請求項２９】
コードが埋設された電子可読メディアであって、前記コードが電子機器に請求項１６の方法を実行させるメディア。
【請求項３０】
コードが埋設された電子可読メディアであって、前記コードが電子機器に請求項１７の方法を実行させるメディア。
【請求項３１】
コードが埋設された電子可読メディアであって、前記コードが電子機器に請求項１８の方法を実行させるメディア。
【請求項３２】
コードが埋設された電子可読メディアであって、前記コードが電子機器に請求項１９の方法を実行させるメディア。
【請求項３３】
コードが埋設された電子可読メディアであって、前記コードが電子機器に請求項２０の方法を実行させるメディア。
【請求項３４】
コードが埋設された電子可読メディアであって、前記コードが電子機器に請求項２１の方法を実行させるメディア。
【請求項３５】
コードが埋設された電子可読メディアであって、前記コードが電子機器に請求項２２の方法を実行させるメディア。
【請求項３６】
コードが埋設された電子可読メディアであって、前記コードが電子機器に請求項２３の方法を実行させるメディア。
【請求項３７】
コードが埋設された電子可読メディアであって、前記コードが電子機器に請求項２４の方法を実行させるメディア。
【請求項３８】
コードが埋設された電子可読メディアであって、前記コードが電子機器に請求項２５の方法を実行させるメディア。
【請求項３９】
コードが埋設された電子可読メディアであって、前記コードが電子機器に請求項２６の方法を実行させるメディア。
【請求項４０】
コードが埋設された電子可読メディアであって、前記コードが電子機器に請求項２７の方法を実行させるメディア。
【請求項４１】
クレジット口座に関連するカードであって、前記カードが、
前記クレジット口座を特定する少なくとも一つの表示、及び
少なくとも一つのセキュリティ表示を含み、該セキュリティ表示は、前記クレジット口座が少なくとも一つのセキュリティ機能により保護されて前記クレジット口座の不正使用が防がれていることを示すカード。
【請求項４２】
前記セキュリティ表示が、
前記少なくとも一つのセキュリティ機能が、前記取引が承認される前に前記クレジット口座に関連する口座所有者とのいずれの取引も検証することを含むこと
を示す請求項４１に記載のカード。
【請求項４３】
前記セキュリティ表示が、
前記少なくとも一つのセキュリティ機能が、前記クレジット口座に関連する口座所有者に、前記いずれの取引を通知することを含むこと
を示す請求項４１に記載のカード。
【請求項４４】
前記セキュリティ表示が、
前記少なくとも一つのセキュリティ機能が、前記クレジット口座に関連する口座所有者により前記クレジット口座が選択的に活動可能及び活動不可能にされることを含むことを示す請求項４１に記載のカード。
【請求項４５】
口座情報を持つユーザと商事業者との間の商取引を承認するためのコンピュータシステムであって、該コンピュータシステムは、
データ及びコードを処理するための処理ユニット、
前記データ及び前記コードを格納するメモリー装置、
１以上の取引承認要求を、１以上の商事業者から受信するために機能する商事業者インターフェイス、
口座所有者インターフェイス、及び
活動不可能な時間の間に開始された複数の前記取引承認要求を拒否するために機能する認可モジュールを含み、
前記口座所有者インターフェイスは、クレジット口座に関連する口座所有者から一連の活動可能及び活動不可能とする指示を受信するために機能し、これにより、前記口座所有者が、前記クレジット口座を、繰り返し活動可能及び活動不可能とすることを特徴とするコンピュータシステム。
【請求項４６】
前記データが活動可能データを含み、該活動可能データが少なくとも一つの活動可能条件を規定するとともに、修正のために前記口座所有者と繰り返しアクセス可能であって、
前記取引承認要求が前記活動可能条件を満たす場合のみ、前記認可モジュールが特定の１つの前記取引承認要求を承認するために機能する請求項４５に記載のコンピュータシステム。
【請求項４７】
前記活動可能条件が活動可能日時を特定し、該活動可能日時は前記口座の初期活動可能状態に相当し、
前記取引承認要求に含まれる購入日付と時間が前記活動可能日時より後である場合のみ、前記認可モジュールは前記取引承認要求を承認するために機能する請求項４６に記載のコンピュータシステム。
【請求項４８】
前記活動可能データはさらに少なくとも一つの活動不可能条件を規定し、
前記取引承認要求が前記活動可能条件を満たし且つ前記活動不可能条件を満たさない場合のみ、前記認可モジュールは前記取引承認要求を承認するために機能する請求項４６に記載のコンピュータシステム。
【請求項４９】
前記活動不可能条件が活動不可能日時を含み、該活動不可能日時は口座所有者により決定され、
前記取引承認要求に含まれる購入日付と時間が前記初期活動可能日時より後であって、且つ前記活動不可能日時より前である場合のみ、前記認可モジュールは前記取引承認要求を受け入れるために機能する請求項４８に記載のコンピュータシステム。
【請求項５０】
前記活動可能データがさらに第二活動可能条件を規定し、該第二活動可能条件は前記口座所有者により決定される再活動可能日時を示し、
前記取引承認要求に含まれる購入日付と時間が前記初期活動可能日時より後であって、且つ前記活動不可能日時前又は再活動可能日時後である場合のみ、前記認可モジュールは前記取引承認要求を承認するために機能する請求項４９に記載のコンピュータシステム。
【請求項５１】
前記活動可能データがさらに少なくとも一つの自動活動可能又は自動活動不可能基準を規定し、該自動活動可能又は自動活動不可能基準は前記口座所有者により決定され、
前記認可モジュールは、前記自動活動可能又は自動活動不可能基準に基づいて自動的に前記口座の活動可能な状態を変更するために機能する請求項４５に記載のコンピュータシステム。
【請求項５２】
所定の数の取引承認要求が、既定の時間内に受信された場合、前記活動不可能基準が前記口座を活動不可能状態にし、前記取引承認要求の所定の数は前記口座所有者により決定され、
前記認可モジュールは、前記活動可能データに日付と時間を記録することにより前記口座を活動不可能にするために機能し、該日付と時間は前記所定の数の取引承認要求が到達した時の日時に相当する請求項５１に記載のコンピュータシステム。
【請求項５３】
前記口座所有者インターフェイスは、
前記口座所有者と接続を確立し、
前記口座所有者を認証し、及び
前記口座所有者から指示を受信して活動可能データを修正するために機能する請求項４５に記載のコンピュータシステム。
【請求項５４】
前記口座所有者インターフェイスが、前記口座所有者と電話を介して通信をするために機能する請求項５３に記載のコンピュータシステム。
【請求項５５】
前記口座所有者インターフェイスが、前記口座所有者から受信した前記指示を格納するためにさらに機能する請求項５３に記載のコンピュータシステム。
【請求項５６】
前記口座所有者インターフェイスが、前記口座所有者からの前記指示が受信された日時を格納するためにさらに機能する請求項５５に記載のコンピュータシステム。
【請求項５７】
前記口座所有者インターフェイスが、前記口座所有者による係属中の取引承認要求の検証をさらに促進し、
前記口座所有者に関連する前記口座が活動不可能にされない場合、且つ前記承認要求が前記口座所有者により検証された場合のみ、前記認可モジュールは承認を前記商事業者へ転送するためにさらに機能する請求項４５に記載のコンピュータシステム。
【請求項５８】
前記データは、少なくとも一つの事前検証基準をさらに含み、該事前検証基準は前記口座所有者に関連し、
前記口座所有者に関連する前記口座が活動不可能にされない場合に前記認可モジュールは前記取引承認要求と前記少なくとも一つの事前検証基準とを比較し、前記少なくとも一つの事前検証基準が満たされた場合に、前記認可モジュールは、前記口座所有者からの入力なしに自動的に前記取引承認要求を検証するためにさらに機能する請求項４５に記載のコンピュータシステム。
【請求項５９】
コンピュータシステムにおける、口座情報を持つユーザと商事業者との間の商取引を促進させる方法であって、
前記方法は、前記口座情報に関連する口座所有者からの一連の別々の通信を受信する段階を含み、前記通信のうち幾つかは活動不可能にするための指示を含み、前記通信のうち他の幾つかは再活動可能にするための指示を含み、前記活動不可能及び再活動可能にするための指示は、前記口座情報に関連する口座の活動可能及び活動不可能状態の時間を分散させて規定し、
前記方法は、前記商事業者から取引承認要求を受信する段階をさらに含み、該取引承認要求は、前記口座情報に関連する前記口座を示すデータを含み、
前記方法は、前記取引承認要求が、活動不可能な時間のうちいずれかの時間で開始されたか否かを判断する段階と、前記取引承認要求が、活動不可能な時間のうちいずれかの時間で開始された場合に、前記取引承認要求を拒否する段階を含む方法。
【請求項６０】
前記活動不可能にするための指示を格納する段階をさらに含む請求項５９に記載の方法。
【請求項６１】
前記活動不可能にするための指示を格納する段階が、前記口座所有者から前記活動不可能にするための指示が受信された日時を格納する段階を含む請求項６０に記載の方法。
【請求項６２】
前記取引承認要求が、活動不可能な時間のうちいずれかの時間で開始されたか否かを判断する段階が、前記取引承認要求に含まれる購入日付と時間と、前記活動不可能にするための指示が受信された前記日時とを比較する段階を含み、
前記取引承認要求を拒否する段階が、前記購入日付と時間が、前記活動不可能にするための指示が受信された前記日時の後である場合、及び次の前記再活動可能にするための指示が受信される前記日時前である場合に、前記取引承認要求を拒否する段階を含む請求項６１に記載の方法。
【請求項６３】
前記口座所有者からの前記再活動可能にするための指示を格納する段階をさらに含む請求項５９に記載の方法。
【請求項６４】
前記再活動可能にするための指示を格納する前記段階が、前記再活動可能にするための指示が受信された日を格納する段階を備える請求項６３に記載の方法。
【請求項６５】
前記再活動可能にするための指示を格納する前記段階が、前記口座所有者から再活動可能にするための指示が受信された時間を格納する段階を備える請求項６４に記載の方法。
【請求項６６】
前記活動不可能にするための指示を格納する段階と、
前記再活動可能にするための指示を格納する段階をさらに備える請求項５９に記載の方法。
【請求項６７】
前記活動可能及び活動不可能な前記時間が、インディケータを設定することにより定義され、該インディケータは前記活動不可能とするための指示及び前記再活動可能とするための指示に応答して、前記口座の活動可能な状態を示す請求項５９に記載の方法。
【請求項６８】
前記口座所有者に関連する少なくとも一つの自動活動不可能基準を格納する段階と、
前記少なくとも一つの自動活動不可能基準を満たした時に前記口座所有者に関連する前記口座を自動的に且つ一時的に活動不可能にする段階をさらに含む請求項５９に記載の方法。
【請求項６９】
前記少なくとも１つの自動活動不可能基準が、所定の数の取引承認要求を受信することを含み、
前記口座を自動的に且つ一時的に活動不可能にする段階が、前記所定の数の取引承認要求を受信した後に前記口座を活動不可能とすることを含む請求項６８に記載の方法。
【請求項７０】
前記所定の数の取引承認要求が前記口座所有者により修正されることを可能とする請求項６９に記載の方法。
【請求項７１】
前記口座所有者からの指示を受信する前記段階が電話を介して前記指示を受信する段階を含む請求項５９に記載の方法。
【請求項７２】
コードが埋設された電子可読メディアであって、前記コードが電子機器に請求項５９の方法を実行させるメディア。